(57)【要約】【課題】マスター端末で行なわれた入力操作を、スレーブ端末において正確に再現し得る、操作再現装置、操作再現方法、及びプログラムを提供する。【解決手段】操作再現装置１０は、マスター端末２０におけるユーザによる入力操作をスレーブ端末３０において再現するため、マスター端末２０から、入力操作の開始点から終了点までの軌跡上の複数の座標と、複数の座標それぞれでの操作時における基準時からの経過時間とを、取得する、操作情報取得部１１と、入力操作の完了後に、スレーブ端末３０に対して、取得した複数の座標それぞれを、対応する経過時間と共に、一括して送信する、操作情報送信部１２と、を備えている。【選択図】図１
2016095747.tif 000002
【特許請求の範囲】
【請求項１】
第１の端末装置におけるユーザによる入力操作を第２の端末装置において再現するための装置であって、
前記第１の端末装置から、前記入力操作の開始点から終了点までの軌跡上の複数の座標と、前記複数の座標それぞれでの操作時における基準時からの経過時間とを、取得する、操作情報取得部と、
前記入力操作の完了後に、前記第２の端末装置に対して、取得した前記複数の座標それぞれを、対応する前記経過時間と共に、一括して送信する、操作情報送信部と、
を備えていることを特徴とする操作再現装置。
【請求項２】
前記第１の端末装置及び前記第２の端末装置が、前記ユーザによる画面への接触に応じて操作を入力する入力装置を備えている場合に、
前記操作情報取得部が、前記複数の座標として、前記軌跡上の前記ユーザの複数の接触点の座標を取得し、前記経過時間として、前記複数の接触点それぞれ毎に、前記ユーザの画面に接触している部分が前記開始点から当該接触点に至るまでの時間を取得する、
請求項１に記載の操作再現装置。
【請求項３】
前記第１の端末装置の画面の解像度と前記第２の端末装置の画面の解像度とが異なる場合に、前記第１の端末装置の垂直方向の解像度に対する前記第２の端末装置の垂直方向の解像度の比を表す垂直比率と、前記第１の端末装置の水平方向の解像度に対する前記第２の端末装置の水平方向の解像度の比を表す水平比率とを求め、
求めた前記垂直比率及び前記水平比率を用いて、前記第１の端末装置から取得された前記複数の座標それぞれを変換する、座標変換部を更に備えており、
前記操作情報送信部は、変換後の前記複数の座標それぞれを、前記第２の端末装置に対して送信する、
請求項１または２に記載の操作再現装置。
【請求項４】
第１の端末装置におけるユーザによる入力操作を第２の端末装置において再現するための方法であって、
（ａ）前記第１の端末装置から、前記入力操作の開始点から終了点までの軌跡上の複数の座標と、前記複数の座標それぞれでの操作時における基準時からの経過時間とを、取得する、ステップと、
（ｂ）前記入力操作の完了後に、前記第２の端末装置に対して、取得した前記複数の座標それぞれを、対応する前記経過時間と共に、一括して送信する、ステップと、
を有することを特徴とする操作再現方法。
【請求項５】
前記第１の端末装置及び前記第２の端末装置が、前記ユーザによる画面への接触に応じて操作を入力する入力装置を備えている場合に、
前記（ａ）のステップにおいて、前記複数の座標として、前記軌跡上の前記ユーザの複数の接触点の座標を取得し、前記経過時間として、前記複数の接触点それぞれ毎に、前記ユーザの画面に接触している部分が前記開始点から当該接触点に至るまでの時間を取得する、
請求項４に記載の操作再現方法。
【請求項６】
（ｃ）前記第１の端末装置の画面の解像度と前記第２の端末装置の画面の解像度とが異なる場合に、
前記第１の端末装置の垂直方向の解像度に対する前記第２の端末装置の垂直方向の解像度の比を表す垂直比率と、前記第１の端末装置の水平方向の解像度に対する前記第２の端末装置の水平方向の解像度の比を表す水平比率とを求め、
求めた前記垂直比率及び前記水平比率を用いて、前記第１の端末装置から取得された前記複数の座標それぞれを変換する、ステップを更に有し、
前記（ｂ）のステップにおいて、変換後の前記複数の座標それぞれを、前記第２の端末装置に対して送信する、
請求項４または５に記載の操作再現方法。
【請求項７】
コンピュータによって、第１の端末装置におけるユーザによる入力操作を第２の端末装置において再現するためのプログラムであって、
前記コンピュータに、
（ａ）前記第１の端末装置から、前記入力操作の開始点から終了点までの軌跡上の複数の座標と、前記複数の座標それぞれでの操作時における基準時からの経過時間とを、取得する、ステップと、
（ｂ）前記入力操作の完了後に、前記第２の端末装置に対して、取得した前記複数の座標それぞれを、対応する前記経過時間と共に、一括して送信する、ステップと、
を実行させるプログラム。
【請求項８】
前記第１の端末装置及び前記第２の端末装置が、前記ユーザによる画面への接触に応じて操作を入力する入力装置を備えている場合に、
前記（ａ）のステップにおいて、前記複数の座標として、前記軌跡上の前記ユーザの複数の接触点の座標を取得し、前記経過時間として、前記複数の接触点それぞれ毎に、前記ユーザの画面に接触している部分が前記開始点から当該接触点に至るまでの時間を取得する、
請求項７に記載のプログラム。
【請求項９】
前記コンピュータに、
（ｃ）前記第１の端末装置の画面の解像度と前記第２の端末装置の画面の解像度とが異なる場合に、
前記第１の端末装置の垂直方向の解像度に対する前記第２の端末装置の垂直方向の解像度の比を表す垂直比率と、前記第１の端末装置の水平方向の解像度に対する前記第２の端末装置の水平方向の解像度の比を表す水平比率とを求め、
求めた前記垂直比率及び前記水平比率を用いて、前記第１の端末装置から取得された前記複数の座標それぞれを変換する、ステップを更に実行させ、
前記（ｂ）のステップにおいて、変換後の前記複数の座標それぞれを、前記第２の端末装置に対して送信する、
請求項７または８に記載のプログラム。
【発明の詳細な説明】
【技術分野】
【０００１】
本発明は、マスター端末での操作をスレーブ端末にて再現するための、操作再現装置、及び操作再現方法に関し、更には、これらを実現するためのプログラムに関する。
【背景技術】
【０００２】
近年、スマートフォン、タブレット型端末といった、タッチパネルを備えた情報端末が増加している。このような情報端末では、ユーザは画面を直接タッチすることによって入力操作を行なうことができる。特に、フリック操作及びスワイプ操作といった操作が可能となるため、ユーザは、直感的に入力操作を行なうことができる。
【０００３】
また、スマートフォン、タブレット型端末、といった情報端末においては、画面の解像度、サイズ、ＯＳのバージョン等が異なる種々の仕様が存在する。このため、これらの情報端末におけるアプリケーションプログラムの開発では、情報端末の仕様毎に、人が操作を行って検証作業を行なう必要がある。
【０００４】
但し、新製品が開発される度に仕様の種類は増加するため、検証作業の工数は増加する一方である。また、これに伴い、開発期間及び開発コストも増加してしまう。このような問題を解決するための方策としては、一台の端末で行なった操作を、他の複数の端末においても反映させることが挙げられる。
【０００５】
そして、このような方策は、特許文献１に開示されたシステムを用いることで実行できる。具体的には、特許文献１に開示されたシステムは、ネットワークを介して接続された複数の端末によって構成されている。これらの端末のうち、操作権を有する端末（以下「マスター端末」と表記する。）は、ユーザがその端末において入力操作を行なうと、その入力操作に応じて、操作開始点から操作終了点までの複数の座標値を含む操作情報を作成する。そして、マスター端末は、作成した操作情報を、他の端末（以下「スレーブ端末」と表記する。）に送信する。
【０００６】
また、スレーブ端末は、操作情報を受信すると、受信した操作情報に基づいて、入力操作を特定し、特定した入力操作に応じた処理を実行する。この結果、マスター端末で行なわれた入力操作が、スレーブ端末で再現されるので、特許文献１に開示されたシステムを、情報端末におけるアプリケーションプログラムの開発に利用すれば、上記の問題を解決できると考えられる。
【先行技術文献】
【特許文献】
【０００７】
【特許文献１】特開２０１４−１１２３９８号公報
【発明の概要】
【発明が解決しようとする課題】
【０００８】
ところで、上記の特許文献１に開示されたシステムでは、マスター端末は、操作情報として、複数の座標値に加えて、操作に掛かった時間も送信する。また、マスター端末は、各座標値を別々ではなく、一括して送信する。このような処理が行なわれる理由は、操作情報の受信の際に発生する遅延により、スレーブ端末での入力操作の再現が不正確となるのを抑制するためである。
【０００９】
しかしながら、上記特許文献１に開示されたシステムでは、再現対象となる入力操作は、ポインタの移動操作のみであるため、フリック操作、スワイプ操作、タッチしながらの連続操作等が入力された場合に、これらの操作をスレーブ端末上で正確に再現できないという問題が発生する。
【００１０】
具体的には、スレーブ端末でフリック操作、スワイプ操作、タッチしながらの連続操作を正確に再現するためには、操作開始点から操作終了点までの軌跡上の複数の座標と、操作時間とに加えて、操作時の各座標での速度も情報として必要になるためである。
【００１１】
本発明の目的の一例は、マスター端末で行なわれた入力操作を、スレーブ端末において正確に再現し得る、操作再現装置、操作再現方法、及びプログラムを提供することにある。
【課題を解決するための手段】
【００１２】
上記目的を達成するため、本発明の一側面における操作再現装置は、第１の端末装置におけるユーザによる入力操作を第２の端末装置において再現するための装置であって、
前記第１の端末装置から、前記入力操作の開始点から終了点までの軌跡上の複数の座標と、前記複数の座標それぞれでの操作時における基準時からの経過時間とを、取得する、操作情報取得部と、
前記入力操作の完了後に、前記第２の端末装置に対して、取得した前記複数の座標それぞれを、対応する前記経過時間と共に、一括して送信する、操作情報送信部と、
を備えていることを特徴とする。
【００１３】
また、上記目的を達成するため、本発明の一側面における操作再現方法は、第１の端末装置におけるユーザによる入力操作を第２の端末装置において再現するための方法であって、
（ａ）前記第１の端末装置から、前記入力操作の開始点から終了点までの軌跡上の複数の座標と、前記複数の座標それぞれでの操作時における基準時からの経過時間とを、取得する、ステップと、
（ｂ）前記入力操作の完了後に、前記第２の端末装置に対して、取得した前記複数の座標それぞれを、対応する前記経過時間と共に、一括して送信する、ステップと、
を有することを特徴とする。
【００１４】
更に、上記目的を達成するため、本発明の一側面におけるプログラムは、コンピュータによって、第１の端末装置におけるユーザによる入力操作を第２の端末装置において再現するためのプログラムであって、
前記コンピュータに、
（ａ）前記第１の端末装置から、前記入力操作の開始点から終了点までの軌跡上の複数の座標と、前記複数の座標それぞれでの操作時における基準時からの経過時間とを、取得する、ステップと、
（ｂ）前記入力操作の完了後に、前記第２の端末装置に対して、取得した前記複数の座標それぞれを、対応する前記経過時間と共に、一括して送信する、ステップと、
を実行させることを特徴とする。
【発明の効果】
【００１５】
以上のように、本発明によれば、マスター端末で行なわれた入力操作を、スレーブ端末において正確に再現することができる。
【図面の簡単な説明】
【００１６】
【図１】図１は、本発明の実施の形態１における操作再現装置の構成を示すブロック図である。
【図２】図２は、本発明の実施の形態１における情報の流れを説明する説明図である。
【図３】図３は、本発明の実施の形態１における操作再現装置１０の動作を示すフロー図である。
【図４】図４は、本発明の実施の形態２における操作再現装置の構成を示すブロック図である。
【図５】図５は、本発明の実施の形態２における操作再現装置に接続される端末装置の画面の解像度の一例を示す図である。
【図６】図６は、本発明の実施の形態２における操作再現装置４０の動作を示すフロー図である。
【図７】図７は、本発明の実施の形態１及び２における操作再現装置を実現するコンピュータの一例を示すブロック図である。
【発明を実施するための形態】
【００１７】
（実施の形態１）
以下、本発明の実施の形態１における、操作再現装置、操作再現方法、及びプログラムについて、図１〜図３を参照しながら説明する。
【００１８】
［装置構成］
最初に、本発明の実施の形態１における操作再現装置の構成について図１を用いて説明する。図１は、本発明の実施の形態１における操作再現装置の構成を示すブロック図である。
【００１９】
図１に示す、本実施の形態１における操作再現装置１０は、第１の端末装置（以下「マスター端末」と表記する。）２０におけるユーザによる入力操作を、第２の端末装置（以下「スレーブ端末」と表記する。）３０において再現するための装置である。図１に示すように、操作再現装置１０は、操作情報取得部１１と、操作情報送信部１２とを備えている。
【００２０】
このうち、操作情報取得部１１は、マスター端末２０から、入力操作の開始点から終了点までの軌跡上の複数の座標と、複数の座標それぞれでの操作時における基準時からの経過時間とを、取得する。
【００２１】
また、操作情報送信部１２は、マスター端末２０での入力操作の完了後に、スレーブ端末３０に対して、取得した複数の座標それぞれを、対応する経過時間と共に、一括して送信する。
【００２２】
このように、操作再現装置１０は、マスター端末２０から、入力操作の軌道上の各座標と操作の開始から終了までの時間とだけでなく、各座標での経過時間も取得し、各経過時間もスレーブ端末３０に送信している。このため、スレーブ端末３０は、操作時の速度の変化を捉えることができるので、マスター端末２０において、フリック操作、スワイプ操作、又はタッチしながらの連続操作が行なわれた場合であっても、スレーブ端末３０では、これらの入力操作が正確に再現されることになる。
【００２３】
ここで、図２を用いて、本実施の形態１における操作再現装置の構成について更に具体的に説明する。図２は、本発明の実施の形態１における情報の流れを説明する説明図である。
【００２４】
まず、本実施の形態１では、マスター端末２０及びスレーブ端末３０は、ユーザによる画面への接触に応じて操作を入力する入力装置、例えばタッチパネルを備えている。ユーザは、入力操作として、フリック操作及びスワイプ操作を実行することができる。具体的には、マスター端末２０及びスレーブ端末３０の例としては、スマートフォン、タブレット型端末が挙げられる。
【００２５】
例えば、図２に示すように、マスター端末２０において、ユーザが、自身の指を画面に接触させながら、開始点である接触点Ｐ０から終了点である接触点Ｐ４までスワイプ操作を行なったとする。この場合、マスター端末２０では、設定間隔で、開始点から終了点までの軌跡上のユーザの接触点Ｐの座標（ｘ，ｙ）と、ユーザの指が開始点からこの接触点Ｐに至るまでの経過時間Ｔとを含む、操作情報が発生する。
【００２６】
そして、操作再現装置１０では、操作情報取得部１１が、マスター端末２０で発生した操作情報、具体的には、接触点Ｐ０〜Ｐ４の座標（ｘ０，ｙ０）〜（ｘ４，ｙ４）と経過時間Ｔ０〜Ｔ４とを順次取得する。また、操作情報送信部１１は、取得された各接触点Ｐの座標（ｘ，ｙ）及び対応する経過時間Ｔを全て含む操作ファイルを作成し、マスター端末２０での入力操作が完了すると、作成した操作ファイルをスレーブ端末３０に送信する。
【００２７】
スレーブ端末３０は、操作ファイルを受け取ると、受け取った操作ファイルから、マスター端末２０で実行された入力操作を特定し、特定した入力操作を再現する。このとき、スレーブ端末３０は、接触点の座標だけでなく、各接触点での経過時間Ｔも取得しており、各接触点での経過時間が取得した経過時間Ｔを満たすように入力操作を再現する。この結果、図２に示すように、スレーブ端末３０においては、マスター端末２０で行なわれたスワイプ操作が、それと同じ速度及び速度変化を伴って再現されることになる。
【００２８】
また、本実施の形態１において、マスター端末２０による、座標及び経過時間の出力は、既存のツールを用いて行なうことができる。同様に、スレーブ端末３０による操作ファイルを用いた入力操作の再現も、既存のツールを用いて行なうことができる。
【００２９】
［装置動作］
次に、本発明の実施の形態１における操作再現装置１０の動作について図３を用いて説明する。図３は、本発明の実施の形態１における操作再現装置１０の動作を示すフロー図である。以下の説明においては、適宜図１及び図２を参酌する。また、本実施の形態１では、操作再現装置１０を動作させることによって、操作再現方法が実施される。よって、本実施の形態１における操作再現方法の説明は、以下の操作再現装置１０の動作説明に代える。
【００３０】
図３に示すように、最初に、操作再現装置１０において、操作情報取得部１１は、マスター端末２０において、操作が開始されているかどうかを判定する（ステップＡ１）。具体的には、操作情報取得部１１は、ユーザが、マスター端末２０の画面にタッチしているかどうかを判定する。
【００３１】
ステップＡ１の判定の結果、操作が開始されていない場合は、操作情報取得部１１は、待機状態となる。一方、ステップＡ１の判定、操作が開始されている場合は、操作情報取得部１１は、マスター端末２０で発生した操作情報、即ち、接触点Ｐの座標（ｘ，ｙ）と経過時間Ｔとを取得する（ステップＡ２）。
【００３２】
次に、ステップＡ２が実行されると、操作情報取得部１１は、操作が完了しているかどうかを判定する（ステップＡ３）。具体的には、操作情報取得部１１は、ユーザが、マスター端末２０の画面へのタッチを止めているかどうかを判定する。
【００３３】
ステップＡ３の判定の結果、操作が完了していない場合は、操作情報取得部１１は、再度、ステップＡ２を実行する。一方、ステップＡ３の判定の結果、操作が完了している場合は、操作情報取得部１１は、そのことを、操作情報送信部１２に通知する。
【００３４】
操作完了が通知されると、操作情報送信部１２は、ステップＡ２で取得された操作情報を全て含む操作ファイルを作成し、作成した操作ファイルを各スレーブ端末３０に送信する（ステップＡ４）。ステップＡ４の実行により、操作再現処理は一旦終了する。なお、ステップＡ１〜Ａ４は、ユーザがマスター端末２０で入力操作を行なう限り、繰り返し実行される。
【００３５】
［プログラム］
本実施の形態１におけるプログラムは、コンピュータに、図３に示すステップＡ１〜Ａ４を実行させるプログラムであれば良い。このプログラムをコンピュータにインストールし、実行することによって、本実施の形態１における操作支援装置１０と操作支援方法とを実現することができる。この場合、コンピュータのＣＰＵ（Central Processing Unit）は、操作情報取得部１１、及び操作情報送信部１２として機能し、処理を行なう。
【００３６】
［変形例］
図１〜図３に示した例では、マスター端末２０及びスレーブ端末３０は、共に、入力装置としてタッチパネルを備えているが、本実施の形態１は、これに限定されるものではない。本実施の形態１では、マスター端末２０及びスレーブ端末３０は、入力装置として、例えば、三次元空間内での物体移動における軌跡の空間座標を取得する装置を備えていても良い。
【００３７】
［実施の形態１による効果］
以上のように本実施の形態１によれば、タッチパネル上でのユーザの指の軌跡の座標と、接触点での経過時間とが、スレーブ端末３０に伝達されるので、スレーブ端末３０は、操作時の速度の変化を特定することができる。この結果、スレーブ端末３０は、その画面上で、マスター端末２０での、フリック操作、スワイプ操作、及びタッチしながらの連続操作を正確に再現することができる。
【００３８】
（実施の形態２）
次に、本発明の実施の形態２における、操作再現装置、操作再現方法、及びプログラムについて、図４〜図６を参照しながら説明する。
【００３９】
［装置構成］
最初に、本発明の実施の形態２における操作再現装置の構成について図４及び図５を用いて説明する。図４は、本発明の実施の形態２における操作再現装置の構成を示すブロック図である。図５は、本発明の実施の形態２における操作再現装置に接続される端末装置の画面の解像度の一例を示す図である。
【００４０】
図４に示すように、本実施の形態２における操作再現装置４０は、操作情報取得部４１及び操作情報送信部４２に加えて、座標変換部４３を備えており、この点で、図１に示した実施の形態１における操作再現装置１０と異なっている。以下、実施の形態１との相違点を中心に、説明する。
【００４１】
まず、本実施の形態２においては、図５に示すように、マスター端末２０画面の解像度とスレーブ端末３０の画面の解像度とが異なっている。このため、マスター端末２０で取得された座標をそのままスレーブ端末３０に送信した場合は、マスター端末２０での入力操作がスレーブ端末３０において正確に再現されない事態となる。このような事態を避けるため、操作再現装置１０は、座標変換部４３を備えている。
【００４２】
座標変換部４３は、まず、マスター端末２０の垂直方向の解像度に対するスレーブ端末３０の垂直方向の解像度の比を表す垂直比率と、マスター端末２０の水平方向の解像度に対するスレーブ端末３０の水平方向の解像度の比を表す水平比率とを求める。次に、座標変換部４３は、求めた垂直比率及び水平比率を用いて、マスター端末２０から取得された各座標を変換する。
【００４３】
具体的には、図５の例では、マスター端末２０の解像度は、１２００×１９２０である。また、スレーブ端末３０としては、解像度の異なるスレーブ端末Ａ及びスレーブ端末Ｂが存在し、このうち、スレーブ端末Ａの解像度は４８０×８００であり、スレーブ端末Ｂの解像度は７２０×１２８０である。
【００４４】
従って、座標変換部４３は、解像度の異なるスレーブ端末毎に、垂直比率及び水平比率を算出する。図５の例では、スレーブ端末Ａについての垂直比率ＶＡは下記の数１によって算出され、水平比率ＨＡは下記の数２によって算出される。また、スレーブ端末Ｂについての垂直比率ＶＢは下記の数３によって算出され、水平比率ＨＢは下記の数４によって算出される。
【００４５】
［数１］
ＶＡ＝４８０／１２００
【００４６】
［数２］
ＨＡ＝８００／１９２０
【００４７】
［数３］
ＶＢ＝７２０／１２００
【００４８】
［数４］
ＨＢ＝１２８０／１９２０
【００４９】
そして、マスター端末２０における、ある接触点Ｐの座標が（４００，９６０）であるとすると、座標変換部４３は、スレーブ端末Ａでの接触点の座標（ＸＡ，ＹＡ）を下記の数５及び数６によって算出する。更に、座標変換部４３は、スレーブ端末Ｂでの接触点の座標（ＸＢ，ＹＢ）を下記の数７及び数８によって算出する。
【００５０】
［数５］
ＸＡ＝４００×ＶＡ＝４００×（４８０／１２００）
【００５１】
［数６］
ＹＡ＝９６０×ＨＡ＝９６０×（８００／１９２０）
【００５２】
［数７］
ＸＢ＝４００×ＶＢ＝４００×（７２０／１２００）
【００５３】
［数８］
ＹＢ＝９６０×ＨＢ＝９６０×（１２８０／１９２０）
【００５４】
座標変換部４３は、以上のようにして、解像度の異なるスレーブ端末毎に、全ての接触点の座標について、変換処理を実行する。そして、全ての変換処理の終了後、操作情報送信部４２は、解像度の異なるスレーブ端末毎に、変換後の各座標を用いて操作ファイルを作成し、各スレーブ端末３０に対応する操作ファイルを送信する。
【００５５】
［装置動作］
次に、本発明の実施の形態２における操作再現装置４０の動作について図６を用いて説明する。図６は、本発明の実施の形態２における操作再現装置４０の動作を示すフロー図である。以下の説明においては、適宜図４及び図５を参酌する。また、本実施の形態２では、操作再現装置４０を動作させることによって、操作再現方法が実施される。よって、本実施の形態２における操作再現方法の説明は、以下の操作再現装置４０の動作説明に代える。
【００５６】
図６に示すように、最初に、操作再現装置４０において、操作情報取得部４１は、マスター端末２０において、操作が開始されているかどうかを判定する（ステップＢ１）。ステップＢ１は、図３に示したステップＡ１と同様のステップである。
【００５７】
ステップＢ１の判定の結果、操作が開始されていない場合は、操作情報取得部４１は、待機状態となる。一方、ステップＢ１の判定、操作が開始されている場合は、操作情報取得部４１は、マスター端末２０から送られてくる操作情報、即ち、接触点Ｐの座標（ｘ，ｙ）と経過時間Ｔとを取得する（ステップＢ２）。また、ステップＢ２では、操作情報取得部４１は、取得した座標を座標変換部４３に出力する。
【００５８】
次に、ステップＢ２が実行されると、座標変換部４３は、解像度の異なるスレーブ端末毎に、垂直比率及び水平比率を求め、更に、求めた垂直比率及び水平比率を用いて、ステップＢ２で取得された座標に対する変換処理を実行する（ステップＢ３）。
【００５９】
次に、ステップＢ３が実行されると、操作情報取得部４１は、操作が完了しているかどうかを判定する（ステップＢ４）。ステップＢ４は、図３に示したステップＡ３と同様のステップである。
【００６０】
ステップＢ４の判定の結果、操作が完了していない場合は、操作情報取得部４１は、再度、ステップＢ２を実行する。一方、ステップＢ４の判定の結果、操作が完了している場合は、操作情報取得部４１は、そのことを、操作情報送信部４２に通知する。
【００６１】
操作完了が通知されると、操作情報送信部４２は、解像度の異なるスレーブ端末毎に、ステップＢ３での変換処理が終了した座標と、ステップＢ２で取得された経過時間とを全て含む操作ファイルを作成する。そして、操作情報送信部４２は、各スレーブ端末３０に、対応する操作ファイルを送信する（ステップＢ５）。ステップＢ５の実行により、操作再現処理は一旦終了する。なお、ステップＢ１〜Ｂ５は、ユーザがマスター端末２０で入力操作を行なう限り、繰り返し実行される。
【００６２】
［プログラム］
本実施の形態２におけるプログラムは、コンピュータに、図６に示すステップＢ１〜Ｂ５を実行させるプログラムであれば良い。このプログラムをコンピュータにインストールし、実行することによって、本実施の形態２における操作支援装置４０と操作支援方法とを実現することができる。この場合、コンピュータのＣＰＵ（Central Processing Unit）は、操作情報取得部４１、操作情報送信部４２、座標変換部４３として機能し、処理を行なう。
【００６３】
［実施の形態２による効果］
以上のように本実施の形態２では、マスター端末２０の解像度とスレーブ端末３０の解像度が異なる場合は、座標変換が行なわれる。このため、本実施の形態２によれば、このような場合であっても、マスター端末２０における入力操作が、スレーブ端末３０において正確に再現される。本実施の形態２は、種々の仕様が存在する情報端末のアプリケーションプログラムの開発に特に有用である。
【００６４】
（物理構成）
ここで、実施の形態１及び２におけるプログラムを実行することによって、操作再現装置を実現するコンピュータについて図７を用いて説明する。図７は、本発明の実施の形態１及び２における操作再現装置を実現するコンピュータの一例を示すブロック図である。
【００６５】
図７に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００６６】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００６７】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００６８】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００６９】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【００７０】
また、本発明の操作再現装置を実現するためのコンピュータは、図７に限定されるものではなく、例えば、マスター端末となる情報端末を構成しているコンピュータであっても良い。この場合は、操作再現装置は、マスター端末のＯＳ上に構築される。
【産業上の利用可能性】
【００７１】
本発明によれば、マスター端末で行なわれたフリック操作、スワイプ操作、及びタッチしながらの連続操作を、スレーブ端末において正確に再現することができる。本発明は、スマートフォン、タブレット型端末といった情報端末のアプリケーションプログラムの開発、情報端末装置によるデモンストレーション、端末の共有、端末の遠隔操作、等に有用である。
【符号の説明】
【００７２】
１０  操作再現装置（実施の形態１）
１１  操作情報取得部
１２  操作情報送信部
２０  マスター端末（第１の端末装置）
３０  スレーブ端末（第２の端末装置）
４０  操作再現装置（実施の形態２）
４１  操作情報取得部
４２  操作情報送信部
４３  座標変換部
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2016095747.tif 000003
【図２】
2016095747.tif 000004
【図３】
2016095747.tif 000005
【図４】
2016095747.tif 000006
【図５】
2016095747.tif 000007
【図６】
2016095747.tif 000008
【図７】
2016095747.tif 000009